(57)【要約】【課題】ユーザが特に作業することなく生涯記録をつけることが可能なライフレコーダを提供する。【解決手段】ユーザの周囲を撮影し続ける撮像部１１と、ユーザの周囲の音を録音し続ける録音部１２と、ユーザの位置データを取得する位置データ取得部２３と、撮像部から得られた映像データと、録音部から得られた音データとを、位置データ取得部で得られた位置データと関連付けて記憶する記憶部１３と、記憶部に記憶されるデータを外部に送信する送信部１４とを有する携帯端末２と、携帯端末から映像データ、音データ及び位置データを受信する受信部３１と、受信した映像データと、音データとを、受信した位置データと関連付けて記録する記憶部３２と、記憶した映像データ、音データ又は位置データの少なくとも一つのデータの特性に基づいて、映像データ、音データ及び位置データを分類して記憶する分類記録部３６とを有する記録装置とを備えるライフレコーダ１。【選択図】図１
2013239988.tif 000002
【特許請求の範囲】
【請求項１】
ユーザの周囲を撮影し続ける撮像部と、
前記ユーザの周囲の音を録音し続ける録音部と、
前記ユーザの位置データを取得する位置データ取得部と、
前記撮像部から得られた映像データと、前記録音部から得られた音データとを、前記位置データ取得部で得られた位置データと関連付けて記憶する記憶部と、
該記憶部に記憶されるデータを外部に送信する送信部とを備えることを特徴とする携帯端末。
【請求項２】
請求項１に記載の携帯端末から映像データ、音データ及び位置データを受信する受信部と、
該受信した映像データと、音データとを、受信した位置データと関連付けて記憶する記憶部と、
該記憶した映像データ、音データ及び位置データの少なくとも一つのデータの特性に基づいて、前記映像データ、音データ及び位置データを分類して記録する分類記録部とを備えることを特徴とする記録装置。
【請求項３】
前記音データから頻出するキーワードを抽出するキーワード抽出部を備え、
前記分類記録部は、該抽出されたキーワードに基づいて、前記映像データ、音データ及び位置データを分類して記録することを特徴とする請求項２に記載の記録装置。
【請求項４】
前記記憶部に記憶される音データの中で所定時間以上無音状態が続く音データを抽出し、抽出された音データと、該音データに対応する映像データ及び位置データを、前記記憶部から削除することを特徴とする請求項２又は３に記載の記録装置。
【請求項５】
請求項１に記載の携帯端末と、請求項２、３又は４に記載の記録装置とを備えることを特徴とするライフレコーダ。
【発明の詳細な説明】
【技術分野】
【０００１】
本発明は、撮影や録音等を行う携帯端末と、携帯端末からのデータを記録する記録装置等であって、特に、これら携帯端末と記録装置を利用してユーザの生涯記録をつけることができるライフレコーダに関する。
【背景技術】
【０００２】
撮影や録音を行うものとしては、例えばビデオカメラが挙げられる。このビデオカメラは、撮影や録音により得られた画像データ及び音データを記憶媒体に記憶し、表示部を介して、もしくはこのビデオカメラをテレビジョン受信機等の表示装置に接続することで、ビデオカメラに記憶される画像及び音データを再生することができる。
【０００３】
上記ビデオカメラでは、内蔵される記憶媒体の容量によって記憶可能な画像データ及び音データの量が制限されるため、例えば、特許文献１に示すように、記憶媒体に記憶される画像データ及び音データを、ネットワークを介して外部の記録装置に送信して記録させるものも存在する。
【先行技術文献】
【特許文献】
【０００４】
【特許文献１】特許第３２７３１９２号公報
【発明の概要】
【発明が解決しようとする課題】
【０００５】
しかしながら、上記特許文献１に記載のビデオカメラ等を用いて、例えばユーザの生涯記録（ユーザが生涯のうちに見たり、聞いたり、話したことの記録）をつける場合には、ビデオカメラに内蔵される時計により、いつ撮影や録音を行ったかを自動で記録することはできるが、どこで、どのような内容の撮影や録音を行ったかについては、ユーザがその情報を入力する必要があり、手間がかかるという問題があった。
【０００６】
また、ユーザがどのような移動経路を辿っていたか、すなわちどのような経路を辿って撮影や録音を行ったかを記録する場合にも、やはりユーザが移動経路を入力しなければならず、この入力作業に膨大な時間を要していた。
【０００７】
そこで、本発明は、ユーザが特に作業することなく生涯記録をつけることが可能なライフレコーダ等を提供することを目的とする。
【課題を解決するための手段】
【０００８】
上記目的を達成するため、本発明は、携帯端末であって、ユーザの周囲を撮影し続ける撮像部と、前記ユーザの周囲の音を録音し続ける録音部と、前記ユーザの位置データを取得する位置データ取得部と、前記撮像部から得られた映像データと、前記録音部から得られた音データとを、前記位置データ取得部で得られた位置データと関連付けて記憶する記憶部と、該記憶部に記憶されるデータを外部に送信する送信部とを備えることを特徴とする。
【０００９】
そして、本発明によれば、ユーザの周囲を撮影し続けると共に、ユーザの周囲の音を録音し続けられるため、ユーザの生涯記録をつけるために役立てることができる。また、位置データ取得部によって、ユーザの位置データを取得し、映像データ及び音データをこの位置データと関連付けて記憶することができるため、記録装置側で、ユーザがどこで撮影や録音を行ったか、また、どのような移動経路を辿って撮影や録音を行ったかを入力する手間を省くことができ、ユーザの生涯記録をつける際に便利である。
【００１０】
また、本発明は、記録装置であって、上記携帯端末から映像データ、音データ及び位置データを受信する受信部と、該受信した映像データと、音データとを、受信した位置データと関連付けて記憶する記憶部と、該記憶した映像データ、音データ又は位置データの少なくとも一つのデータの特性に基づいて、前記映像データ、音データ及び位置データを分類して記録する分類記録部とを備えることを特徴とする。
【００１１】
そして、本発明によれば、映像データ及び音データからは撮影、録音内容を、位置データからはユーザが撮影や録音を行った位置、またこれを繋ぎ合わせた移動経路をデータの特性として抽出することができ、これらのデータに基づいてデータを分類することができるため、例えば、ユーザが、どこで、どのような移動経路を辿って、どのような内容の撮影や録音を行ったかの入力を省くことができ、容易にユーザの生涯記録をつけることができる。
【００１２】
前記記録装置において、前記音データから頻出するキーワードを抽出するキーワード抽出部を設け、前記分類記録部は、該抽出されたキーワードに基づいて、前記映像データ、音データ及び位置データを分類して記録することができる。これにより、例えば音データから頻出するキーワードとして、「運動会」を抽出した場合、撮影、録音内容が運動会に関するものであると特定することができ、このキーワードに基づいて、映像データ、音データ及び位置データを分類して記録することができるため、ユーザがどのような内容の撮影や録音を行ったかを入力する手間を省くことができる。
【００１３】
上記記録装置において、前記記憶部に記憶される音データの中で所定時間以上無音状態が続く音データを抽出し、抽出された音データと、該音データに対応する映像データ及び位置データを、前記記憶部から削除することができる。これにより、記録装置の記憶容量を節約することができると共に、映像データ及び音データをより細かく分類することも可能となる。
【００１４】
また、本発明は、ライフレコーダであって、上記携帯端末と、上記記録装置のいずれかとを備えることを特徴とする。
【００１５】
そして、本発明によれば、上述のように、携帯端末によって取得した映像データ及び音データを、記録部により、位置データ、経路データ及び撮影、録音内容に基づいて分類して記録することができるため、ユーザによって各種データを入力せずにユーザの生涯記録をつけることができる。
【発明の効果】
【００１６】
以上のように、本発明によれば、ユーザが特に作業することなく生涯記録をつけることが可能なライフレコーダ等を提供することができる。
【図面の簡単な説明】
【００１７】
【図１】本発明に係るライフレコーダの一実施の形態を示す全体構成図である。
【図２】図１に示す携帯端末の使用状態を示す概略図である。
【図３】図１に示す携帯端末の構成の一例を示すブロック図である。
【図４】図１に示す記録装置の構成の一例を示すブロック図である。
【図５】図３に示す携帯端末における処理の流れを示すフローチャートである。
【図６】図４に示す記録装置における記録処理の流れを示すフローチャートである。
【図７】図４に示す記録装置の分類記録部へデータを分類して記録する方法を説明するための図であって、（ａ）は分類記録部に記録されるフォルダを示し、（ｂ）は（ａ）に示すフォルダの１つに収容されるフォルダであって、（ｃ）は（ｂ）に示すフォルダの１つに収容されるフォルダであって、（ｄ）は（ｃ）に示すフォルダの１つに収容されるファイルを各々示す。
【発明を実施するための形態】
【００１８】
次に、本発明を実施するための形態について、図面を参照しながら詳細に説明する。
【００１９】
図１は、本発明に係るライフレコーダの一実施の形態を示し、このライフレコーダ１は、インターネット等のネットワーク４を介して接続される携帯端末２と、記録装置３とで構成される。
【００２０】
携帯端末２は、図２に示すように、後述する撮像部１１や録音部１２が露出するように、ユーザの衣類に取り付けられ、ユーザに常に携帯されているものとする。このようにして、撮像部１１によってユーザの周囲を撮影し続けると共に、録音部１２を介して前記ユーザの周囲の音を録音し続けることにより、映像データと音データを取得する。
【００２１】
また、携帯端末２は、映像データ及び音データを取得した際の日時及び位置データを取得すると共に、取得した位置データを繋ぎ合わせて移動経路データを生成する。そして、取得した映像データ及び音データと各種データとを関連付け、ネットワーク４を介して所定のタイミングで記録装置３に転送する。
【００２２】
記録装置３は、例えばユーザが所有したり、他社が所有するサーバであり、受信した映像データ及び音データを、関連付けられたデータに基づき分類して記録する。
【００２３】
図３に示すように、携帯端末２は、大別して、撮像部１１と、録音部１２と、記憶部１３と、送信部１４と、表示部１５と、操作部１６と、ＧＰＳ（Global Positioning System）アンテナ１７と、ＧＰＳ受信部１８と、時計１９と、制御部２０とで構成される。
【００２４】
撮像部１１は、例えばビデオカメラであり、ＣＣＤ（Charge Coupled Devices）やＣＭＯＳ（Complementary Metal-Oxide Semiconductor）イメージセンサ等の撮像素子に受光された光を撮像信号に変換する。そして、この撮像信号に対してガンマ補正やホワイトバランス調整といった所定の信号処理を施し、映像データを生成して出力する。尚、撮像部１１からは撮像信号を出力し、後述の制御部２０で撮像信号に対して所定の信号処理を行うようにしてもよい。
【００２５】
録音部１２は、例えばマイクロフォンであり、ユーザの周囲の音を録音し、音データとして出力する。
【００２６】
記憶部１３は、例えばＨＤＤ（Hard Disc Drive）やフラッシュメモリであり、地図データを有するとともに、撮像部１１から出力された映像データ及び録音部１２から出力された音データが記憶される。尚、以下では、映像データ及び音データを総称して、ＡＶ（Audio/Video）データと略称する。
【００２７】
送信部１４は、所定のプロトコルに従って記録装置３との無線通信を行い、後述の制御部２０による制御に基づき、記憶部１３に記憶されたＡＶデータをネットワーク４を介して記録装置３に送信する。
【００２８】
表示部１５は、例えばＬＣＤ（Liquid Crystal Display）からなり、メニュー画面等を表示する。表示部１５としては、例えば、ＬＣＤ上にタッチセンサを有するタッチパネルが積層されたタッチパネルディスプレイを用いることができる。
【００２９】
操作部１６は、この携帯端末２をユーザが操作するための操作子が所定に設けられ、操作子に対する操作に応じた制御信号を出力する。操作子としては、例えば、携帯端末２の電源をＯＮ／ＯＦＦするための電源キーや、撮影や録音を開始／終了するためのキー等が設けられる。これらの各種キーは、例えば、携帯端末２の筐体にハードウェアキーとして設けるようにしてもよいし、表示部１５がタッチパネルディスプレイの場合には、各種キーがソフトウェアキーとして表示部１５に表示されるようにしてもよい。
【００３０】
ＧＰＳ受信部１８は、ＧＰＳ衛星からのＧＰＳ信号をＧＰＳアンテナ１７を介して受信する。時計１９は、例えば、水晶振動子の発振周波数に基づき、携帯端末２の現在の時刻データを生成することができる。
【００３１】
制御部２０は、この携帯端末２の全体を制御し、入力制御部２１と、表示制御部２２と、位置データ取得部２３と、撮影、録音制御部２４と、記憶制御部２５と、データ取得部２６と、通信制御部２７とを有する。
【００３２】
入力制御部２１は、操作部１６から供給されるユーザの操作に応じた制御信号に基づき入力内容や選択内容を判別し、操作信号を出力する。表示制御部２２は、表示部１５への画像表示を制御する。例えば、表示制御部２２は、操作部１６に対するユーザ操作に応じて表示部１５の表示画面を切り替える処理等を行う。
【００３３】
位置データ取得部２３は、ＧＰＳ受信部１８で受信したＧＰＳ信号に基づき、ユーザの位置（緯度、経度）を示す位置データを取得し、この位置データを繋ぎ合わせることによりユーザの移動経路を取得する。
【００３４】
撮影、録音制御部２４は、撮像部１１及び録音部１２による撮影及び録音の開始／終了を制御する。撮影、録音制御部２４は、例えば、画像携帯端末２の電源ＯＮや、撮影及び録音を開始するためのキーが押下された場合等に撮影及び録音を開始し、画像携帯端末２の電源ＯＦＦや、撮影及び録音を終了するためのキーが押下された場合等に撮影及び録音を終了する。
【００３５】
記憶制御部２５は、撮影及び録音により得られたＡＶデータの記憶部１３に対する記憶を制御する。データ取得部２６は、ＡＶデータを撮影及び録音した際の状況が判断できるデータを取得し、このデータをＡＶデータに関連付ける処理を行う。通信制御部２７は、記憶部１３に記憶されたＡＶデータを送信部１４に供給し、送信部１４における通信制御を行う。
【００３６】
ここで、ＡＶデータに関連付けられるデータについて説明する。ＡＶデータに関連付けられるデータは、撮影及び録音した際の状況が判断できるデータであり、具体的には、例えば、日時データ、位置データ及び経路データである。
【００３７】
日時データは、ＡＶデータを撮影及び録音した日時を示すデータであり、時計１９から出力された時刻データにより取得することができる。位置データは、ユーザの位置を示すデータであり、例えば、学校や観光地等の特定の施設を示すデータである。経路データは、位置データを結び付けることによって生成され、ユーザの移動経路を示すデータである。
【００３８】
図４に示すように、記録装置３は、大別して、受信部３１と、記憶部３２と、操作部３３と、時計３４と、音データ解析部３５と、分類記録部３６と、制御部３７とで構成される。
【００３９】
受信部３１は、所定のプロトコルに従って携帯端末２との無線通信を行い、ネットワーク４を介して携帯端末２からＡＶデータと、ＡＶデータに関連付けられたデータを受信する。
【００４０】
記憶部３２は、例えばＨＤＤやフラッシュメモリであり、携帯端末２から送信されたＡＶデータと、ＡＶデータに関連付けられたデータを記憶する。また、後述の音データの解析に必要な、人物の発声の特徴を示す情報や、特定の音声を抽出するための情報が予め記憶されている。
【００４１】
操作部３３は、この記録装置３をユーザが操作するための操作子が所定に設けられ、操作子に対する操作に応じた制御信号を出力する。操作子としては、例えば、ＡＶデータの再生や停止を行うためのキー等が筐体にハードウェアキーとして設けられる。また、操作部３３として、赤外線通信や無線通信を利用したリモートコントローラや、マウス、キーボード等を用いることもできる。
【００４２】
時計３４は、例えば、水晶振動子の発振周波数に基づき、記録装置３の現在の時刻データを生成することができる。時計３４は、バッテリー（不図示）により常時駆動されている。
【００４３】
音データ解析部（キーワード抽出部）３５は、携帯端末２から受信した音データを解析して話者データと、撮影、録音内容データを生成する。話者データは、音データに含まれる発声と、記憶部３２に記録される人物の発声の特徴を示すデータとを比較し、音声認識技術を利用して生成され、これによって、音データに含まれる発声から話者を特定することができ、撮影、録音内容データは、記憶部３２に記録される特定の音声を抽出するためのデータに基づいて、頻出する言葉、例えば、「運動会」、「徒競走」、「玉入れ」等のキーワードを抽出することにより生成され、これにより撮影、録音内容を特定することができる。尚、音声に限らず、特定の音、例えば野球の応援歌を抽出した場合に、撮影、録音内容が野球観戦であると特定するようにすることもできる。この際、ユーザが撮影、録音の開始時に撮影や録音に関連する言葉を発することで、音データ解析部３５による撮影、録音内容の特定をより容易にすることができる。
【００４４】
分類記録部３６は、例えばＨＤＤやフラッシュメモリであり、後述の制御部３７によりＡＶデータが所定の要領で分類されて記録される。例えば、分類記録部３６は、分類された内容に応じてフォルダが作成され、分類されたＡＶデータが分類結果に応じて対応するフォルダに格納される。
【００４５】
制御部３７は、この記録装置３の全体を制御し、通信制御部４１と、記憶制御部４２と、データ分類処理部４３と、記録制御部４４と、再生制御部４５とを有する。
【００４６】
通信制御部４１は、受信部３１における通信制御を行い、受信部３１で受信したＡＶデータを受け取る。記憶制御部４２は、受信したＡＶデータを一時的に記憶部３２に記憶させる制御を行う。データ分類処理部４３は、記憶部３２に記憶されるＡＶデータに関連付けられたデータ（日時データ、位置データ、経路データ）と、音データ解析部３５によって得られたデータ（話者データ、撮影、録音内容データ）に基づきＡＶデータを分類する。
【００４７】
記録制御部４４は、記憶部３２に一時的に記憶されるＡＶデータの分類記録部３６への記録を制御する。ＡＶデータを分類記録部３６に記録する場合、記録制御部４４は、分類結果に基づき対応する分類記録部３６のフォルダにＡＶデータを記録する。
【００４８】
再生制御部４５は、分類記録部３６に記録されたＡＶデータの再生を制御する。再生制御部４５は、分類記録部３６からＡＶデータを読み出し、外部に出力する。外部には、テレビジョン受像機やモニタ装置等の表示装置が接続され、映像の表示や音声の出力が行われる。尚、これに限らず、例えば記録装置３に表示部を設けてもよい。
【００４９】
次に、上記構成を有するライフレコーダ１の動作について説明する。
【００５０】
まず、携帯端末２の動作について、図３及び図５を参照しながら説明する。尚、特別な記載がない限り、以下の処理は、制御部２０の制御の下で行われるものとする。
【００５１】
ステップＳ１において、携帯端末２の電源ＯＮ、又は撮影や録音を開始するためのキーの押下を検出したか否かが判断される。携帯端末２の電源ＯＮ、又は撮影及び録音を開始するためのキーの押下が検出された場合には、処理がステップＳ２に移行する。一方、携帯端末２の電源ＯＮ、又は撮影及び録音を開始するためのキーの押下が検出されなかった場合には、処理がステップＳ１に戻る。
【００５２】
ステップＳ２では、記憶部１３にＡＶデータが記憶されているか否かが判断される。記憶部１３にＡＶデータが記憶されていない場合には、撮像部１１及び録音部１２による撮影及び録音が開始される（ステップＳ４）。一方、記憶部１３にＡＶデータが記憶されている場合には、送信部１４を介してＡＶデータが記録装置３に転送され（ステップＳ３）、処理がステップＳ４に移行する。
【００５３】
撮影及び録音が開始されると、制御部２０は、時計１９からの時刻データに基づき、撮影及び録音を開始した日時を示す日時データを取得すると共に（ステップＳ５）、ＧＰＳ受信部１８からのＧＰＳ信号に基づき位置データを取得する（ステップＳ６）。尚、位置データの取得は、撮影や録音行っている間継続的に行われる。
【００５４】
ステップＳ７では、携帯端末２の電源ＯＦＦ、又は撮影や録音を終了するためのキーの押下を検出したか否かを判断する。携帯端末２の電源ＯＦＦ、又は撮影や録音を終了するためのキーの押下が検出された場合には、処理がステップＳ８に移行し、撮像部１１及び録音部１２による撮影及び録音が終了する。一方、携帯端末２の電源ＯＦＦ、又は撮影や録音を終了するためのキーの押下が検出されなかった場合には、撮影や録音が継続して行われる。
【００５５】
撮影及び録音が終了すると、取得した位置データを繋ぎ合わせて経路データを生成し（ステップＳ９）、得られたＡＶデータに対して各種データ（日時データ、位置データ、経路データ）が関連付けられ（ステップＳ１０）、記憶部１３に記憶される（ステップＳ１１）。そして、処理がステップＳ１に戻り、ステップＳ１からステップＳ１１までの処理が巡回的に繰り返し行われる。
【００５６】
次に、記録装置３の動作について、図４及び図６を参照しながら説明する。
【００５７】
まず、記録装置３によるＡＶデータの記録処理について、尚、特別な記載がない限り、以下の処理は、制御部３７の制御の下で行われるものとする。
【００５８】
ネットワーク４を介して携帯端末２からＡＶデータを受信すると（ステップＳ２１）、受信したＡＶデータを一時的に記憶部３２に記憶する（ステップＳ２２）。次に、音データ解析部３５は、受信した音データの解析を行って話者データ及び撮影、録音内容データを生成する（ステップＳ２３）。
【００５９】
そして、制御部３７は、受信したＡＶデータから、関連付けられた各種データ（日時データ、位置データ、経路データ）を抽出し（ステップＳ２４）、抽出されたデータと、音データ解析部３５によって生成された話者データ及び撮影、録音内容データのいずれかに基づきＡＶデータを分類し（ステップＳ２５）、分類したＡＶデータを分類記録部３６にフォルダ毎に記録する（ステップＳ２６）。
【００６０】
ここで、図６に示すステップＳ２６によるＡＶデータの分類記録方法について説明する。
【００６１】
例えば、ＡＶデータを日時毎に分類する場合には、記憶制御部４２によって、記憶部３２にＡＶデータと関連付けて記憶される日時データを参照し、データ分類処理部４３によって、「２０１２年１月１日」、「２０１２年１月２日」・・・といったように、分類記録部３６に日付のフォルダを作成し、その中にＡＶデータ及び位置データを分類し、記録制御部４４によって、これらのデータをフォルダ内に記録する。
【００６２】
さらに、ＡＶデータを位置データ毎に分類する場合には、記憶制御部４２によって、記憶部３２にＡＶデータと関連付けて記憶される位置データを参照し、データ分類処理部４３によって、例えば分類記録部３６に「小学校にて」というフォルダを作成し、その中に小学校にて撮影や録音を行って得られたＡＶデータを分類し、記録制御部４４によって、これらのデータをフォルダ内に記録する。また、小学校に向かうまでや、小学校から帰る際の移動経路も記録することができる。
【００６３】
また、ＡＶデータを話者毎に分類する場合には、制御部３７によって、音データ解析部３５によって解析された話者データを参照し、データ分類処理部４３によって、例えば分類記録部３６に「子供Ａ、Ｂ及びＣ」というフォルダを作成し、その中にＡＶデータ及び位置データを分類し、記録制御部４４によって、これらのデータをフォルダ内に記録する。
【００６４】
ＡＶデータをイベント毎に分類する場合には、制御部３７によって、音データ解析部３５によって解析された撮影、録音内容データを参照し、データ分類処理部４３によって、例えば分類記録部３６に「運動会」というフォルダを作成し、記録制御部４４によって、運動会にて撮影や録音を行って得られたＡＶデータ及び位置データを記録する。その際、同様に撮影、録音内容データを参照することにより、運動会の演目毎にファイルを作成し、その中にデータを分類して記録することも可能である。
【００６５】
そして、上記４つの分類記録方法を組み合わせることにより、例えば、図７に示すように、子供Ａの生涯記録をつけることができる。例えば、図７（ａ）に示すように、分類記録部３６に、子供毎に分類したフォルダを作成し、その中に、図７（ｂ）に示すように、例えば子供Ａについて、出生時、保育園児時代、小学生時代、中学生時代・・・とフォルダを作成し、その中に、例えば小学生時代において、図７（ｃ）に示すように、入学式や、運動会等のフォルダを作成し、その中の例えば「運動会」というフォルダに、図７（ｄ）に示すように、演目名がタイトルとして付されたＡＶデータ及び位置データを分類して記録することができる。尚、ＡＶデータを分類する際には、上記複数の分類方法のうち任意の分類方法を選択することができる。
【００６６】
また、音データ解析部３５は、記憶部３２に記憶される音データの中で所定時間以上無音状態が続く音データを抽出し、抽出された音データと、この音データに対応する映像データ及び位置データを記憶部３２から削除することで、記憶部３２の記憶容量を節約することができ、映像データ及び音データをより細かく分類することも可能となる。
【００６７】
記録装置３に記録されたＡＶデータを再生する場合には、ユーザにより指定される条件に基づいて、例えば、フォルダ毎に再生を行ったり、特定のイベントのときのＡＶデータを個々に再生することができる。
【００６８】
以上のように、本発明によれば、ユーザが特に作業することなくユーザの生涯記録をつけることが可能となる。
【符号の説明】
【００６９】
１  ライフレコーダ
２  携帯端末
３  記録装置
４  ネットワーク
１１  撮像部
１２  録音部
１３  記憶部
１４  送信部
１５  表示部
１６  操作部
１７  ＧＰＳアンテナ
１８  ＧＰＳ受信部
１９  時計
２０  制御部
２１  入力制御部
２２  表示制御部
２３  位置データ取得部
２４  撮影、録音制御部
２５  記憶制御部
２６  データ取得部
２７  通信制御部
３１  受信部
３２  記憶部
３３  操作部
３４  時計
３５  音データ解析部
３６  分類記録部
３７  制御部
４１  通信制御部
４２  記憶制御部
４３  データ分類処理部
４４  記録制御部
４５  再生制御部
【図１】
2013239988.tif 000003
【図２】
2013239988.tif 000004
【図３】
2013239988.tif 000005
【図４】
2013239988.tif 000006
【図５】
2013239988.tif 000007
【図６】
2013239988.tif 000008
【図７】
2013239988.tif 000009